(57)【要約】【課題】  駅などの風雨にさらされる環境に設置され且つカード挿入口などの雨水浸水の可能性がある開口部を持った情報処理装置において、雨水の浸水を効果的に抑制でき、装置故障低減、安定稼動を図ることができる装置を提供する。【解決手段】  カードリーダ３０を装置に対してその口部３０がユニット奥側に対して下方になるように斜め構造を維持した状態で装置に設置する。【選択図】図４
2005128904.tif 000002
【特許請求の範囲】
【請求項１】
媒体の挿入又は排出を行う口部を有し、媒体の処理を実行する媒体処理部を具備する情報処理装置において、
前記媒体処理部の口部が該媒体処理部の奥部に対して下方になるように前記媒体処理部を情報処理装置に斜め状態を維持する構造としたことを特徴とする情報処理装置。
【請求項２】
前記媒体処理部を搭載する支持板と、該支持板と勘合し且つ前記媒体処理部を前記装置前後方向へ移動する引出レールとを有し、
前記引出レールを前記装置に対して水平方向に取り付け、前記支持板を前記媒体処理部が前記引出レールに対して斜め状態を維持する構造としたことを特徴とする請求項１記載の情報処理装置。
【発明の詳細な説明】
【技術分野】
【０００１】
本発明は、顧客が要求する取引を自動的に実行する装置に係り、特に、鉄道の駅券売機など風雨にさらされる環境で使用される情報処理装置に関するものである。
【背景技術】
【０００２】
鉄道の駅券売機など戸外に設置され、風雨にさらされる環境で使用される情報処理装置、具体的には顧客が要求する取引処理を実行する取引装置では、この装置に具備されたカードの挿入口等の開口部から雨水などが浸水することがあり、その雨水等によって装置故障、安定稼動の妨げの原因となっていた。
【０００３】
このような問題に対し特許文献１ではカード挿入口の筐体部分に雨水の浸水を防ぐ樋構造を設け、対策を施した従来技術が公知である。
【０００４】
【特許文献１】特開平１１−８５９３２号公報
【発明の開示】
【発明が解決しようとする課題】
【０００５】
上述した従来技術でも雨水等にはある程度対策できるものの、戸外に設置されたその装置に対して車による水はねや顧客によるいたずらなど、何らかの影響によりカード挿入口から雨水（液体）が浸水してしまうと、そのまま装置内部に残留してしまう、また、次のカード読み取り処理の際に更にカードが装置奥方向に搬送されるに従い、装置内部までその水滴等が浸水し、最終的に、装置故障、安定稼動の妨げになることが懸念される。
【０００６】
本願発明は、このような問題を解決し、雨水等が浸水することを抑制することができる情報処理装置を提供することを目的とする。
【課題を解決するための手段】
【０００７】
上述した目的を達成するために、本発明は、特に、情報処理装置に具備されたカードリーダなどの内蔵ユニットを水平方向に設置するのではなく、水平方向に対してカードリーダの挿入又は排出口が下方になるように斜めに配置する構造としている。
【０００８】
また、この内部ユニットを装置前面又は後面より引き出す際、配置された斜めを維持するように水平方向の引き出し構造とすることで、係員による保守もし易く、また装置内部の構造も簡素化することが可能となる。
【発明の効果】
【０００９】
本発明によれば、金融機関や鉄道会社などの戸外、即ち風雨にさらされるような環境に装置が設置されるようなケースでも、その装置に備わるカード挿入口等から雨水のような水滴が浸水するのを防止でき、それによる装置故障の低減や、安定的な装置稼動を図るとの効果を奏し、また、本発明の内部ユニットを引き出して係員が保守するときにおいても他のユニット同様な保守が可能になる。
【発明を実施するための最良の形態】
【００１０】
以下、本発明の実施例について、図面を用いて説明する。
【００１１】
図１は、顧客が希望する取引を自動的に実行する情報処理装置（取引装置とも言う）の外観図を示し、この情報処理装置１０は、顧客の保有するキャッシュカード、クレジットカードなどの媒体を受け入れ、装置内部に搬送して媒体に貼付された磁気情報、ＩＣ情報を読み取る、書き込むなどの処理を実行するカードリーダ（カード処理部とも言う）３０と、顧客を正面から撮影するカメラ（撮像部）１２と、操作ガイダンスや取引項目を表示する表示装置（表示部）１１と、取引情報などを印字し顧客に出力する処理を実行するプリンタ（印字部）１３を具備する。この情報処理装置１０が店舗外に設置される場合は、カード処理部３０のカード挿入又は排出口の口部から雨などが入ってしまうような図示する開口された構造（後述する口部３１）となっている。
【００１２】
図２は情報処理装置１０の前面部のカバーを開けた状態で、装置正面から見た内部構成を示し、カバーにはカメラ１２と表示部１１が取り付けられているのでこの構成は省略して説明する。情報処理装置１０の各ユニットの制御を行う制御部２１は、ＣＰＵ，メモリ及び各種プログラム（アプリケーション）から構成されたもので、表示部１１やカード処理部３０などの処理は勿論、ＦＤ２２による各種プログラムのアップグレード処理や、ジャーナル部（ＣＤ−ＲＷ）２３への各取引の履歴などの記憶も実行する。また、カードリーダ３０とプリンタ１３とを搭載する支持板２４を具備し、この支持板２４には引き出しレール２５が取り付けられている。引き出しレール２５の他方は装置筐体側に勘合されており、よって、支持板２４を装置前方に引き出すことで、支持板２４と一体となったカードリーダ３０とプリンタ１３とが装置前面側から保守、交換などの作業ができる。
【００１３】
図３はカード処理部の詳細図を示し、顧客が保有するキャッシュカード等を挿入又は排出する開口された口部３１と、カード媒体に備わるエンボスや図柄等を読み取るスキャナ部（光学読取部とも言う）３２と、カードに貼付された磁気ストライプの磁気情報を読み取る磁気読取部３３とを有する。更に、カード媒体は図示しない搬送路によって装置前後方向（図面では左右方向）に搬送されるが、その搬送をするための搬送ベルト３４と、この搬送ベルトを駆動するモータ３５と、カード媒体が搬送路上でジャムを起こしたときに係員が手動でそのカード媒体を搬送するために用いるハンドル３７と、このハンドル３７と連結する手動搬送用ベルトと、カードユニット全体の各部を制御する制御部３６とを有する。
ここでカードへの処理について説明する。カードリーダ３０の挿入口である口部３１よりカード媒体が差込まれると、口部３１は図示しないセンサによりそのカード挿入を検知し、モータ３５の回転により搬送ベルト３４を動作させる。この搬送ベルト３４により搬送路に沿って装置奥方向（図面の左から右方向）にカードが搬送され、磁気読取部３３及びスキャナ部３２に搬送する。磁気読取部３３ではカードの磁気情報を読み取り、スキャナ部３２ではカード表面に印刷された情報を読み取り処理を実行する。その後、これら処理が正常に終了すると、モータ３５を逆回転してカードの排出口である口部３１に搬送し、その口部３１よりカード媒体を排出する。なお、このようなカード読取処理、搬送処理の実行中にカードがジャムを起こした場合、搬送路内に残されたカードを取除くためにカード搬送ハンドル３７を操作することで、口部３１より手動でカードを排出する構成となっている。
【００１４】
このように、カードリーダ３０は情報処理装置１０の内部に設置された一ユニットであるが、装置１０は店舗の内部及び外部に設置されるものである。店舗内に設置される場合は問題ないが、店舗外に設置される場合は天候などの自然を考慮する必要がある。具体的には雨（又は雪）に強い装置を提供しなければならない。そこで、利用者の扱うカード媒体のためのカードリーダ３０がその挿入又は排出を行う口部３１が開口されている状況を考え、そのカードリーダ３０を図４で示すように装置の水平方向に対し、約７度の斜度をもって搭載する。勿論、図４にあるように口部３１よりカードリーダ３０の奥部が高い構成としている。
【００１５】
図４はカード処理部を情報処理装置に取り付けた様子を示しているが、支持板２４はカードリーダ３０を斜度をもって搭載できるように、支持板２４自身に斜度を持たせている。そしてこの支持板２４を引き出しレール２５に取り付けした構造としている。
【００１６】
図５はカード処理部を情報処理装置の前方へ引き出した様子を示し、カードリーダ３０やプリンタに媒体のジャムが起きた場合の保守作業や、各々のユニットの一部品が交換要となった場合の交換作業に好適な例を示している。図４，５のように、引き出しレール２５は情報処理装置１０に水平方向に取り付けているので、引き出しレール自身は装置と水平方向で前後に移動するが、カードリーダ３０は支持板２４に搭載され、その支持板２４自身が斜度を持っていることから、カードリーダ３０の口部３１が奥部より低い状態（カードリーダが斜め状態）を維持しながら、前後に引き出し可能となっている。
【００１７】
一方で、引き出しレール自身を装置に斜めに取り付けて、カードリーダを斜め状態で前後に引き出す構成も考えられるが（このとき支持板は斜度を持たせない）、その場合、カードリーダを装置前方に引き出すときはそのカードリーダの自重により引き出され、保守作業を行う保守員が危険となる。
【００１８】
従って、保守の面から考えると、カードリーダを引き出す状態としては、図５に示すように水平方向が好ましいことから、引き出しレールは装置に水平方向に取り付けた構成としている。
【図面の簡単な説明】
【００１９】
【図１】情報処理装置の概観図。
【図２】情報処理装置の内部構成図。
【図３】カードリーダの構成図。
【図４】カードリーダを装置に設置した内部構成図。
【図５】カードリーダを装置前面より引き出した構成図。
【符号の説明】
【００２０】
１０…情報処理装置、１１…表示装置、１２…カメラ、１３…プリンタ、２１…制御部、２２…ＦＤ、２３…ジャーナル部（ＣＤ−ＲＷ）、２４…支持板、２５…引き出しレール、３０…カードリーダ、３１…カード挿入、排出口部（口部）、３２…スキャナ部、３３…磁気読取部、３４…搬送ベルト、３５…モータ、３６…カードリーダの制御部、３７…カード搬送用ハンドル、３８…手動搬送用ベルト
【図１】
2005128904.tif 000003
【図２】
2005128904.tif 000004
【図３】
2005128904.tif 000005
【図４】
2005128904.tif 000006
【図５】
2005128904.tif 000007